(57)【要約】      （修正有）【課題】釣りの最中に釣り人の手または指がナットに当たっても、ナットが緩まず、リールがぐらつかない釣り竿を提供する。【解決手段】筒状体１の先端外周に所定長さの雄ネジ部２を形成し、後端部にリール３後端を係止するための固定係止手段４を備えるとともに、雄ネジ部２に、固定係止手段４に対向する可動係止手段５を嵌挿する。固定係止手段４と可動係止手段５とにリール３を係止した状態で、筒状体１の先端から、雄ネジ部２に対応する雌ネジ部を内側に形成した第１のナット７を螺合して、リール３を固定するリールシート６を備える。筒状体１の先端から、更に、雄ネジ部２に対応する雌ネジ部を内側に形成した第２のナット８を嵌挿して、第２のナット８を第１のナット７に強く押しつけるように螺合させる。【選択図】図１
0003158737.tif 000002
【実用新案登録請求の範囲】
【請求項１】
筒状体の先端外周に所定長さの雄ネジ部を形成し、後端部にリール後端を係止するための固定係止手段を備えるとともに、前記雄ネジ部に、前記固定係止手段に対向する可動係止手段を嵌挿して、当該固定係止手段と当該可動係止手段とにリールを係止した状態で、前記筒状体の先端から、前記雄ネジ部に対応する雌ネジ部を内側に形成した第１のナットを螺合して、前記リールを固定するリールシートを備えた釣り竿において、
前記筒状体の先端から、更に、前記雄ネジ部に対応する雌ネジ部を内側に形成した第２のナットを嵌挿して、当該第２のナットを前記第１のナットに強く押しつけるように螺合させたことを特徴とする釣り竿。
【請求項２】
前記可動係止手段と、前記第１のナットと、前記第２のナットと、前記雄ネジ部の一部とが、チューブ状の弾性部材で覆われたことを特徴とする請求項１に記載の釣り竿。
【考案の詳細な説明】
【技術分野】
【０００１】
本考案は、釣り竿に関し、特に、リールを取り付けることが可能な釣り竿に関するものである。
【背景技術】
【０００２】
図４は、従来の釣り竿（富士工業製のリールシート）を示す構成図である。
従来の釣り竿は、先ず筒状体１０１の先端の外周に所定長さの雄ネジ部１０２を形成し、筒状体１０１の後端にはリール１０３を係止するための固定係止手段１０４を備え、雄ネジ部１０２に固定係止手段１０４に対向する可動係止手段１０５を嵌挿することでリールシート１０６を形成する。
【０００３】
次に、固定係止手段１０４と可動係止手段１０５によりリール１０３の先端と後端を係止し、筒状体１０１の先端雄ネジ部１０２からナット１０７を螺合し、可動係止手段１０５にナット１０７を締めつけることによってリール１０３をリールシート１０６に固定する。
【０００４】
更に、竿１０８を、筒状体１０１に内挿し、両者をボンドで固着させるようになっている竿１０８とリールシート１０６とを固定する。
【考案の概要】
【考案が解決しようとする課題】
【０００５】
従来の釣り竿は上記のように構成されているので次のような問題点を内包している。
【０００６】
即ち、上記した釣り竿においてナット１０７は、上述したようにプラスチックで成形されており、釣りをしている最中に、釣り人の指又は手がナット１０７に当たるなどして、ナット１０７が緩み、リール１０３がぐらついて釣りの途中でナット１０７を締め直す等の処置が必要であった。
【０００７】
本考案は、上記問題点に鑑み、釣りの最中に釣り人の手または指がナットに当たっても、ナットが緩まず、リールがぐらつかない釣り竿を提供することを目的とする。
【課題を解決するための手段】
【０００８】
本考案に係る釣り竿は上記目的を達成するために以下の手段を採用している。
【０００９】
本考案は、筒状体の先端外周に所定長さの雄ネジ部を形成し、後端部にリール後端を係止するための固定係止手段を備えるとともに、前記雄ネジ部に、前記固定係止手段に対向する可動係止手段を嵌挿して、当該固定係止手段と当該可動係止手段とにリールを係止した状態で、前記筒状体の先端から、前記雄ネジ部に対応する雌ネジ部を内側に形成した第１のナットを螺合して、前記リールを固定するリールシートを備える。そして、前記筒状体の先端から、更に、前記雄ネジ部に対応する雌ネジ部を内側に形成した第２のナットを嵌挿して、当該第２のナットを前記第１のナットに強く押しつけるように螺合させたことで、第１のナットの緩みを抑えてリールがぐらつかない釣り竿を提供することができる。
【００１０】
更に、本考案は、前記可動係止手段と、前記第１のナットと、前記第２のナットと、前記雄ネジ部の一部とが、チューブ状の弾性部材で覆われた構成を採用することが出来る。前記弾性部材は、例えば、シリコン等の弾力性のある素材でできたチューブ状の弾性部材である。これにより、更に、第１のナットの緩みと第２のナットの緩みとを抑え、リールがぐらつかない釣り竿を提供することができる。
【考案の効果】
【００１１】
以上説明したように本考案は、筒状体の雄ネジ部に螺合された第１のナットの先端に、第２のナットを更に螺合して第１のナットを強く押しつけるように固定することで、第２のナットが第１のナットのストッパーとしての役割を有することになり、第１のナットが緩まずにリールがぐらつかない釣り竿を提供することが可能となる。
【図面の簡単な説明】
【００１２】
【図１】本考案の実施の形態１に係る釣り竿を示す構成図である。
【図２】本考案の実施の形態１に係るリングを拡大した図である。
【図３】本考案の実施の形態２に係る釣り竿を示す構成図である。
【図４】従来の釣り竿を示す構成図である。
【考案を実施するための形態】
【００１３】
（実施の形態１）
以下に本考案の実施の形態１を図１又は図２に基づき説明する。
【００１４】
図１は、本考案の実施の形態１に係る釣り竿を示すものであり、図２は、本考案の実施の形態１に係るナットを拡大した図である。
【００１５】
本考案に係る釣り竿は、先ず図１に示すように筒状体１の先端の外周に所定長さの雄ネジ部２を形成し、該筒状体１の後端にはリール３を係止するための固定係止手段４を備え、該雄ネジ部２上に固定係止手段４に対向する可動係止手段５を嵌挿することでリールシート６を形成する。
【００１６】
次に、固定係止手段４と可動係止手段５にリール３の先端と後端を係止し、リールシート１の先端の雄ネジ部２から、当該雄ネジ部２に対応する雌ネジ部（図示せず）が形成されたナット７（第１のナット）を螺合し、可動係止手段５にナット７を締めつけることでリール３をリールシート６に固定する。
【００１７】
更に、雄ネジ部２には、当該雄ネジ部２に対応する雌ネジ部が内側に形成されたストッパーリング８（第２のナット）を螺合し、当該ストッパーリング８をナット７に強く押しつけるようにして螺合する。
【００１８】
これによって、ナット７の緩みをストッパーリング８により固定されることとなり、リール３のぐらつきを抑えることができる。尚、雄ネジ部２の、筒状体の軸方向の長さ（上述した所定の長さ）は、前記ナット７の、筒状体の軸方向の長さと、前記ストッパーリング８の、筒状体の軸方向の長さとを加算した長さよりも十分長い。
【００１９】
又、竿９を、リールシート６に内挿し、両者をボンドで固着させるようになっている。
【００２０】
釣り人は、リールシート６を持って釣りを行うのであるが、上記した構成にすると、指又は手がナット７に当たってもストッパーリング８がナット７のストッパーとしての役割を持つことになるため、ナット７が緩まず、釣りの間、リール３がぐらつかず釣り人はナット７の緩みを気にせずに釣りを行うことができようになる。
【００２１】
尚、図２に示すように、ストッパーリング８は幅２〜１５ｍｍの範囲であれば、何れの幅でも本考案の釣り竿に適用できるが、本考案では例えば４ｍｍの幅のアルミニウム製のリングを用いている。
【００２２】
以上のように、本実施の形態１に係る釣り竿は、筒状のリールシートの雄ネジ部に螺合された、当該雄ネジ部に対応する雌ネジ部を有するナット７の先端に、更に、当該雄ネジ部に対応する雌ネジ部を有するストッパーリング８を、当該ナット７を強く押しつけるように螺合させることにより、釣り人が釣りの間にナット７に手なり指が当たったとしてもストッパーリング８がナット７のストッパーとしての役割を有するため、ナット７が緩まず、その結果、リール３のぐらつきを無くすことが可能となる。
【００２３】
（実施の形態２）
本実施の形態２に係る釣り竿は、筒状のリールシート６の雄ネジ部２に螺合されたナット７の先端に、ストッパーリング８を更に螺合させるとともに、リールシート６の可動係止手段５、前記ナット７、前記ストッパーリング８、雄ネジ部２の一部を、図４に示すシリコン等の弾力性のある素材で構成されたチューブ状（筒状）の弾性部材１０で覆った構成を採用している。前記雄ネジ部２の一部は、前記ナット７、前記ストッパーリング８を螺合しても、尚、外部に露出した部分に対応する。
【００２４】
前記弾性部材１０は、釣り人の意図しない前記ナット７、前記ストッパーリング８の回転を防止するとともに、当該ナット７、当該ストッパーリング８及び可動係止手段５を筒状体１の取付面１ａに締め付けることを可能とするように、内径が可動係止手段５とナット７との外径よりも小さい弾性部材であることが好ましく、内径が可動係止手段５とナット７とストッパーリング８の外径よりも小さい弾性部材であると更に好ましい。
【００２５】
例えば、図４に示すように、可動係止手段５の先端に当たるように、雄ネジ部２にナット７を締めつけ、リール３（図示せず）をリールシート６に固定し、更に、ストッパーリング８をナット７の先端に当たるように当該雄ネジ部２に螺合し、ストッパーリング８をナット７に強く押し付けた後に、釣り人は、上述したチューブ状の弾性部材１０で、前記可動係止手段５と、前記ナット７と、前記ストッパーリング８と、前記雄ネジ部２の一部を覆う。前記チューブ状の弾性部材１０の内径が前記可動係止手段５と前記ナット７との外周よりも小さいため、チューブ状の弾性部材１０による、前記取付面１ａに当該可動係止手段５等を締め付ける力によって当該可動係止手段５等が取付面１ａに対して独立して回転することが阻止される。
【００２６】
よって、本実施の形態２に係る釣り竿は、本実施の形態１に係る釣り竿と比較すると、釣をしている最中に、リールシート６に対するリール３の取付強度が下がって当該リール３がぐらつくことを、確実に防ぐことができる。
【００２７】
また、前記可動係止手段５、前記ナット７、前記ストッパーリング８は釣を行っている時に、釣り人の手に当たることがあり、そのため、その部分に切り傷、擦り傷等の怪我をしたり、豆ができたりすることがある。しかし、前記可動係止手段５等を弾性のあるチューブ状の弾性部材１０で覆うことにより、釣り人の怪我や豆ができることを防ぐことができる。更に、本実施の形態２に係る釣り竿は、従来の釣り竿に比べて手が疲れ難い。
【産業上の利用可能性】
【００２８】
以上のように、本考案に係る釣り竿は、リールがぐらつかない釣り竿に有用であり、よって、その産業上の利用可能性は大きい。
【符号の説明】
【００２９】
１  リールシート
２  雄ネジ部
３  リール
４  固定係止手段
５  可動係止手段
６  リールシート
７  ナット
８  ストッパーリング
９  竿
１０  チューブ状の弾性部材
【図１】
0003158737.tif 000003
【図２】
0003158737.tif 000004
【図３】
0003158737.tif 000005
【図４】
0003158737.tif 000006